【手続補正書】
【提出日】令和3年11月10日(2021.11.10)
【手続補正１】
【補正対象書類名】特許請求の範囲
【補正対象項目名】全文
【補正方法】変更
【補正の内容】
【特許請求の範囲】
【請求項１】
無線通信のための方法であって、
ユーザ機器によってベースステーションから、アップリンク制御チャネル上の送信のために複数のスロットを構成する構成情報を受信するステップであって、前記構成情報は、（１）前記アップリンク制御チャネル上の前記送信のための開始スロット、（２）前記アップリンク制御チャネル上の前記送信のためのスロットの数、（３）前記アップリンク制御チャネル上の前記送信のためのスロット内の開始シンボル、および（４）前記アップリンク制御チャネル上の前記送信のためのスロット内のシンボルの数、を示す、ステップ；
前記ユーザ機器によって、前記構成情報にしたがって、前記複数のスロット内の後続スロットと、前記アップリンク制御チャネル上の前記送信のための前記後続スロット内のシンボルとを決定するステップであって、前記アップリンク制御チャネル上の前記送信のために使用可能なシンボルの数はスロット内の前記構成されたシンボルの数以上であり、前記アップリンク制御チャネル上の前記送信のための前記後続スロット内の１つ以上のシンボルは前記開始スロット内の１つ以上のシンボルと同じ位置を有する、ステップ；
前記ユーザ機器によって、少なくとも前記開始スロットと前記後続スロットとを使用して、前記アップリンク制御チャネル上の前記送信を実行するステップ；
を有する方法。
【請求項２】
前記方法はさらに、
前記ユーザ機器によって、スロットが必要なシンボル数を有していないことに起因して前記アップリンク制御チャネル上における前記送信のために前記スロットが使用されないことを判定するステップ、
を有する、
請求項１記載の方法。
【請求項３】
無線通信のための方法であって、
ベースステーションによってユーザ機器に対して、アップリンク制御チャネル上の送信のために複数のスロットを構成する構成情報を送信するステップであって、前記構成情報は、（１）前記アップリンク制御チャネル上の前記送信のための開始スロット、（２）前記アップリンク制御チャネル上の前記送信のためのスロットの数、（３）前記アップリンク制御チャネル上の前記送信のためのスロット内の開始シンボル、および（４）前記アップリンク制御チャネル上の前記送信のためのスロット内のシンボルの数、を示す、ステップ；
前記ベースステーションによって前記ユーザ機器から、少なくとも前記開始スロットと後続スロットを用いて、前記アップリンク制御チャネル上の前記送信を受信するステップであって、前記後続スロットと前記アップリンク制御チャネル上の前記送信のための前記後続スロット内のシンボルは前記構成情報にしたがって決定され、前記アップリンク制御チャネル上の前記送信のために使用可能なシンボルの数はスロット内の前記構成されたシンボルの数以上であり、前記アップリンク制御チャネル上の前記送信のための前記後続スロット内の１つ以上のシンボルは前記開始スロット内の１つ以上のシンボルと同じ位置を有する、ステップ；
を有する方法。
【請求項４】
前記開始スロットからのＮ個の連続するスロットが前記アップリンク制御チャネル上での前記送信のために使用され、前記Ｎ個の連続するスロットは前記開始スロットを含む、
請求項１から３のいずれか１項記載の方法。
【請求項５】
直交カバーコード多重化の機能が、前記アップリンク制御チャネル上での前記送信のための前記開始スロットおよび前記後続スロットに対して有効化される、
請求項１から４のいずれか１項記載の方法。
【請求項６】
前記開始スロットにおけるものと同じ、前記後続スロットにおける直交カバーコード多重化の機能を使用して、前記アップリンク制御チャネル上の前記送信に対して周波数ホッピングが実行される、
請求項１から４のいずれか１項記載の方法。
【請求項７】
前記複数のスロットのそれぞれにおける前記１つ以上のシンボルは、連続するシンボルである、
請求項１から６のいずれか１項記載の方法。
【請求項８】
無線通信のための装置であって、
プロセッサ；
プロセッサ実行可能コードを含むメモリ；
を備え、
前記プロセッサ実行可能コードは、前記プロセッサによって実行されたとき、前記プロセッサに、
ベースステーションから、アップリンク制御チャネル上の送信のために複数のスロットを構成する構成情報を受信するステップであって、前記構成情報は、（１）前記アップリンク制御チャネル上の前記送信のための開始スロット、（２）前記アップリンク制御チャネル上の前記送信のためのスロットの数、（３）前記アップリンク制御チャネル上の前記送信のためのスロット内の開始シンボル、および（４）前記アップリンク制御チャネル上の前記送信のためのスロット内のシンボルの数、を示す、ステップ；
前記構成情報およびルールにしたがって、前記複数のスロット内の後続スロットと、前記アップリンク制御チャネル上の前記送信のための前記後続スロット内のシンボルとを決定するステップであって、前記ルールは、（１）前記アップリンク制御チャネル上の前記送信のために使用可能なシンボルの数はスロット内の前記構成されたシンボルの数以上であること、（２）前記アップリンク制御チャネル上の前記送信のための前記後続スロット内の１つ以上のシンボルは前記開始スロット内の１つ以上のシンボルと同じ位置を有すること、を規定するステップ；
少なくとも前記開始スロットと前記後続スロットとを使用して、前記アップリンク制御チャネル上の前記送信を実行するステップ；
を実施させるように前記プロセッサを構成する、
装置。
【請求項９】
前記プロセッサは、
スロットが必要なシンボル数を有していないことに起因して前記アップリンク制御チャネル上における前記送信のために前記スロットが使用されないことを判定するステップ、
を実施するように構成される、
請求項８記載の装置。
【請求項１０】
無線通信のための装置であって、
プロセッサ；
プロセッサ実行可能コードを含むメモリ；
を備え、
前記プロセッサ実行可能コードは、前記プロセッサによって実行されたとき、前記プロセッサに、
ユーザ機器に対して、アップリンク制御チャネル上の送信のために複数のスロットを構成する構成情報を送信するステップであって、前記構成情報は、（１）前記アップリンク制御チャネル上の前記送信のための開始スロット、（２）前記アップリンク制御チャネル上の前記送信のためのスロットの数、（３）前記アップリンク制御チャネル上の前記送信のためのスロット内の開始シンボル、および（４）前記アップリンク制御チャネル上の前記送信のためのスロット内のシンボルの数、を示す、ステップ；
前記ユーザ機器から、少なくとも前記開始スロットと後続スロットを用いて、前記アップリンク制御チャネル上の前記送信を受信するステップであって、前記後続スロットと前記アップリンク制御チャネル上の前記送信のための前記後続スロット内のシンボルは前記構成情報およびルールにしたがって決定され、前記ルールは、（１）前記アップリンク制御チャネル上の前記送信のために使用可能なシンボルの数はスロット内の前記構成されたシンボルの数以上であること、（２）前記アップリンク制御チャネル上の前記送信のための前記後続スロット内の１つ以上のシンボルは前記開始スロット内の１つ以上のシンボルと同じ位置を有すること、を規定するステップ；
を実施させるように前記プロセッサを構成する、
装置。
【請求項１１】
前記開始スロットからのＮ個の連続するスロットが前記アップリンク制御チャネル上での前記送信のために使用され、前記Ｎ個の連続するスロットは前記開始スロットを含む、
請求項８から１０のいずれか１項記載の装置。
【請求項１２】
直交カバーコード多重化の機能が、前記アップリンク制御チャネル上での前記送信のための前記開始スロットおよび前記後続スロットに対して有効化される、
請求項８から１１のいずれか１項記載の装置。
【請求項１３】
前記開始スロットにおけるものと同じ、前記後続スロットにおける直交カバーコード多重化の機能を使用して、前記アップリンク制御チャネル上の前記送信に対して周波数ホッピングが実行される、
請求項８から１１のいずれか１項記載の装置。
【請求項１４】
前記複数のスロットのそれぞれにおける前記１つ以上のシンボルは、連続するシンボルである、
請求項８から１３のいずれか１項記載の装置。
【請求項１５】
コンピュータ読み取り可能なプログラム媒体コードを格納する媒体に記憶されたコンピュータプログラムであって、プロセッサによって実行されたとき、前記プロセッサに請求項１から７のいずれか１項記載の方法を実施させる、コンピュータプログラム。